(57)【要約】【課題】トップ反をスリットしてジョイントレスバンドを作製するに際して、容易にスリット位置を知ることができ、スリット工程での作業時間を短縮することができ、製造コストの低減や生産性の向上を図ることができるタイヤコード用すだれ織物を提供する。【解決手段】経糸密度３０〜７０本／５ｃｍで総横幅５００〜２０００ｍｍのタイヤコード用すだれ織物であって、端部に所定の太さおよび密度で織り込まれた緯糸を有するタビー部を備え、前記タビー部が、前記経糸を５〜２０本の所定本数単位に纏めて隣接する前記経糸を密接に配置した経糸群と、緯糸とが交互に織り合わされて構成されている。【選択図】  図２
2011122272.tif 000002
【特許請求の範囲】
【請求項１】
経糸密度３０〜７０本／５ｃｍで総横幅５００〜２０００ｍｍのタイヤコード用すだれ織物であって、
端部に所定の太さおよび密度で織り込まれた緯糸を有するタビー部を備え、
前記タビー部が、前記経糸を５〜２０本の所定本数単位に纏めて隣接する前記経糸を密接に配置した経糸群と、緯糸とが交互に織り合わされて構成されていることを特徴とするタイヤコード用すだれ織物。
【請求項２】
前記経糸が、太さ６００〜２１００ｄｔｅｘの片撚りまたは２本あるいは３本撚り構造の合成繊維またはパルプ系繊維からなるタイヤコードであることを特徴とする請求項１に記載のタイヤコード用すだれ織物。
【請求項３】
前記タビー部の前記緯糸の太さが、前記経糸の太さの５０〜１５０％であることを特徴とする請求項１または請求項２に記載のタイヤコード用すだれ織物。
【請求項４】
前記タビー部の前記緯糸の太さが、前記経糸の太さとほぼ同じであり、前記経糸とほぼ同じ密度で織り合わされていることを特徴とする請求項１または請求項２に記載のタイヤコード用すだれ織物。
【請求項５】
前記タビー部の緯糸が、ガラス繊維を含む混紡糸であることを特徴とする請求項１ないし請求項４のいずれか１項に記載のタイヤコード用すだれ織物。
【発明の詳細な説明】
【技術分野】
【０００１】
本発明は、タイヤコード用すだれ織物に関し、詳しくは、ジョイントレスバンド用のトップ反を作製するために用いられるタイヤコード用すだれ織物に関する。
【背景技術】
【０００２】
近年、タイヤの製造工程において、タイヤの高速耐久性を高めることを目的として、ジョイントレスバンド（以下、「ＪＬＢ」とも言う）と言われるテープ状材料を用いることが一般的に行われている。
【０００３】
このＪＬＢは、所定本数（通常、５〜２０本）の経糸をゴムで被覆（以下、「トッピング」とも言う）して得られるテープ状材料の形で供給されている。そして、タイヤの製造工程においては、成形工程の経済性の観点から、２ヘッド方式の巻付け装置により２対のテープ状のＪＬＢを一度に成形ドラムに巻付けて、成形サイクルタイムの短縮を図っているが、左右のタイヤにおける経糸本数が異なる場合には、タイヤ拘束力に差（ばらつき）が生じ、コニシティー（タイヤの回転方向に関係無く、常に一定方向に発生する横方向の力）を悪化させる。
【０００４】
また、１本のＪＬＢに含まれる経糸の本数にばらつきが生じた場合にも、同様に、タイヤ拘束力にばらつきが生じ、コニシティーを悪化させる。
【０００５】
このため、所定本数の経糸を等間隔に配置し、その表裏両面にゴムをトッピングすることにより、経糸の本数のばらつきが抑制されたＪＬＢを得る「シングルコード方式」という方法が用いられていたが、この方法は個別に所望するサイズのＪＬＢを作製する方法であるため、製造コストが著しく高く、生産性も高いものではなかった。
【０００６】
そこで、総横幅５００〜２０００ｍｍ程度の反物状のタイヤコード用すだれ織物の表裏両面にゴムをトッピングしてトップ反とし、このトップ反を所定の経糸本数毎にスリットして所望するサイズのＪＬＢを得る方法が広く用いられている（特許文献１〜３）。
【０００７】
この方法は、広幅のトップ反をスリットして一度に多くのＪＬＢを得ることができるため、製造コストを低減でき、生産性も向上するが、スリット時にナイフを用いるため、経糸を切断してしまい、経糸本数にばらつきが生じるという問題があった。
【０００８】
そこで、経糸の糸切れ対策として、ナイフをリニアレール上でフローティングさせたホルダーに固定し、スリット時の経糸の位置の変化に合わせてナイフが追従する方法が採用されていたが、所定の経糸本数毎にスリットする場合、ゴムで被覆したトップ反の表面上は何らの変化もないため、経糸本数を数える作業に多大な時間が必要があり、前記した生産性の向上を阻害していた。
【０００９】
また、トップ反のスリット工程では、トップ反の大割りによりマザーテープを作成し、各マザーテープをスリットして所望幅のＪＬＢを得る方法と、マザーテープを作成せずにトップ反から直接ＪＬＢを得る方法があり、通常はハンドリングの容易さから前者の方法が採用されるが、この方法であっても、経糸本数を正確に数える作業に多大な時間を必要とする。
【先行技術文献】
【特許文献】
【００１０】
【特許文献１】特開２００２−３２１２９０号公報
【特許文献２】特開２００６−２１５１４号公報
【特許文献３】特開２００６−２３９９３８号公報
【発明の概要】
【発明が解決しようとする課題】
【００１１】
そこで、本発明は、上記の問題に鑑み、トップ反をスリットしてジョイントレスバンドを作製するに際して、容易にスリット位置を知ることができ、スリット工程での作業時間を短縮することができ、製造コストの低減や生産性の向上を図ることができるタイヤコード用すだれ織物を提供することを課題とする。
【課題を解決するための手段】
【００１２】
本発明に係るタイヤコード用すだれ織物は、
経糸密度３０〜７０本／５ｃｍで総横幅５００〜２０００ｍｍのタイヤコード用すだれ織物であって、
端部に所定の太さおよび密度で織り込まれた緯糸を有するタビー部を備え、
前記タビー部が、前記経糸を５〜２０本の所定本数単位に纏めて隣接する前記経糸を密接に配置した経糸群と、緯糸とが交互に織り合わされて構成されていることを特徴とする。
【００１３】
そして、前記のタイヤコード用すだれ織物は、
前記経糸が、太さ６００〜２１００ｄｔｅｘの片撚りまたは２本あるいは３本撚り構造の合成繊維またはパルプ系繊維からなるタイヤコードであることを特徴とする。
【００１４】
また、前記のタイヤコード用すだれ織物は、
前記タビー部の前記緯糸の太さが、前記経糸の太さの５０〜１５０％であることを特徴とする。
【００１５】
また、前記のタイヤコード用すだれ織物は、
前記タビー部の前記緯糸の太さが、前記経糸の太さとほぼ同じであり、前記経糸とほぼ同じ密度で織り合わされていることを特徴とする。
【００１６】
さらに、前記のタイヤコード用すだれ織物は、
前記タビー部の緯糸が、ガラス繊維を含む混紡糸であることを特徴とする。
【発明の効果】
【００１７】
本発明によれば、トップ反をスリットしてジョイントレスバンドを作製するに際して、ゴムがトッピングされたトップ反は、端部のタビー部では、経糸が密接に配置された経糸群の間に大きな隙間が生じているため、容易にスリット位置を知ることができる。その結果、スリット工程での作業時間を大幅に短縮することができ、製造コストの低減や生産性の向上を図ることができる。
【図面の簡単な説明】
【００１８】
【図１】本発明に係るタイヤコード用すだれ織物の一例を模式的に示す図である。
【図２】タイヤコード用すだれ織物を用いたトップ反をスリットする様子を模式的に示す斜視図である。
【発明を実施するための形態】
【００１９】
以下、本発明をその実施の形態に基づいて説明する。なお、本発明は、以下の実施の形態に限定されるものではない。本発明と同一および均等の範囲内において、以下の実施の形態に対して種々の変更を加えることが可能である。
【００２０】
１．タイヤコード用すだれ織物
最初に、本発明に係るタイヤコード用すだれ織物につき、図１を用いて説明する。図１は、本発明に係るタイヤコード用すだれ織物の一例を模式的に示す図である。
【００２１】
図１に示すように、このタイヤコード用すだれ織物Ａは、経糸１と緯糸２、２ａとが織り合わされて総横幅５００〜２０００ｍｍの反物状に形成されている。
【００２２】
タイヤコード用すだれ織物Ａは、本体部Ｂと、反始及び反末に緯糸２ａが本体部Ｂの緯糸２よりも密に打ち込まれたタビー部Ｃとを備えており、経糸１の密度は３０〜７０本／５ｃｍに設定されている。
【００２３】
本体部Ｂは、タビー部Ｃの近傍を除いて等間隔に配列された多数本の経糸１と、少数本の緯糸２とを交互に織り合せて形成されている。
【００２４】
タビー部Ｃの緯糸２ａは、経糸１の密度と同密度で配列されている。タビー部Ｃは、経糸１を５〜２０本（ＪＬＢテープに所望される経糸本数）の所定本数単位に纏めて隣接する経糸１を密接に配置した経糸群３と、緯糸２ａとが交互に織り合わされて形成されている。これにより、隣接する経糸群３との間に大きな間隔４が形成されるようになっている。
【００２５】
経糸１の材質としては、例えば、ナイロン（登録商標）（ポリアミド系繊維）、ケブラー（デュポン社製アラミド繊維）、ＰＥＮ（ポリエチレンナフタレート）、ＰＥＴ（ポリエステル繊維）などの合成繊維、またはレーヨンなどのパルプ系繊維など、従来からタイヤコードとして用いられているものを適宜選択して用いることができる。また、経糸１は、６００〜２１００ｄｔｅｘの片撚りまたは２本あるいは３本撚り構造の太さを有している。
【００２６】
また、緯糸２、２ａとしては、経糸の材質に応じて適宜選択して用いることができ、例えば、ポリエチレン繊維などを挙げることができるが、タビー部Ｃの緯糸２ａは、幅方向の寸法変化を抑制するため、ガラス繊維を含む混紡糸を用いることが望ましい。
【００２７】
また、タビー部Ｃの緯糸２ａの太さは、経糸１の太さの５０〜１５０％であることが望ましい。なお、本体部Ｂの緯糸２の太さは、一般的に２０ｓ（２０番手）であることが望ましい。
【００２８】
２．トップ反
次に、本発明に係るトップ反につき、図２を用いて説明する。図２は、タイヤコード用すだれ織物を用いたトップ反をスリットする様子を模式的に示す斜視図である。
【００２９】
トップ反は以下の工程を経て作製される。
【００３０】
最初に、経糸１および緯糸２、２ａとトッピングゴム５との接着性を向上させるために、公知の方法により、タイヤコード用すだれ織物にディップ処理を施す。
【００３１】
ディップ処理されたタイヤコードすだれ織物の表裏両面にトッピングゴム５を被覆することによりトップ反Ａ１を得る。このトップ反Ａ１が冷却されると、トップ反Ａ１表面においては、間隔４に対応する部分（図２の斜線部）が他の部分と異なる表面状態となる。
【００３２】
そして、このトッピング工程において、タビー部から離れた箇所では、トッピングラインにおいて加えられるテンションにより、経糸１がほぼ等間隔に配された状態となる。
【００３３】
なお、トッピング工程では、タイヤコード用すだれ織物（反物）同士をタビー部Ｃにおいてゴムを介して加硫接着し、トッピングラインに連続的にタイヤコード用すだれ織物を通過させることにより、反物単位でトッピングラインを通過させる手間を省いて生産性を向上させることができる。
【００３４】
トッピングが完了したトップ反は巻き取られ、次のスリット工程に送られる。
【００３５】
３．スリット工程
図２に示すように、トップ反Ａ１表面のうちタビー部Ｃの間隔４に対応する部分を目印として、ナイフ６により、間隔４の中央で所定の切断ピッチＰで切断することにより、トップ反Ａ１をスリットする。これにより、所望のＪＬＢを容易に且つ確実に作製することができる。
【００３６】
なお、トップ反Ａ１を切断して直接ＪＬＢを得るのではなく、まずトップ反Ａ１から所定数のＪＬＢに相当する本数単位にスリットしてマザーテープとし、このマザーテープを切断して所望するＪＬＢを作製しても良い。マザーテープの作製に際しても、前記と同様に、タビー部Ｃの間隔４に対応する部分を目印として所定数を数えてナイフ６を入れることにより、所望するマザーテープを容易に且つ確実に作製することができる。
【００３７】
４．実施例および比較例
（１）実施例
本実施例は、１０本の経糸（タイヤコード）を１束として１５０束、即ち、１５００本の経糸を有し、経糸を１束毎に緯糸で纏めたタビー部を有するタイヤコード用すだれ織物である。
【００３８】
前記のタイヤコード用すだれ織物にトッピングゴムを被覆してトップ反を形成した。その後、トップ反表面に現れたタビー部Ｃの間隔に対応する部分を目印に、間隔中央にナイフを入れ、作業時間３分で、経糸１００本のマザーテープ１５本を得るための段取り作業を完了した。
【００３９】
さらに、このマザーテープの各タビー部の間隔中央にナイフを入れ、各マザーテープ１本につき作業時間２分で、それぞれ経糸１０本のＪＬＢを得るための段取り作業を完了した。従って、実施例における合計の段取り作業時間は、３分＋（２分／本×１５本）＝３３分であった。
【００４０】
（２）比較例
経糸１５００本が配された従来のタイヤコード用すだれ織物を用いて、トップ反を形成した。その後、トップ反の断面で１００本の経糸を数えてナイフを入れて、経糸１００本のマザーテープ１５本を得た。このときの段取り作業時間は３０分であった。また、端部をばらして経糸をトップ反の端部からはみ出させた状態で１００本の経糸を数えても、段取り作業時間は３０分であった。
【００４１】
さらに、各マザーテープについて、トップ反からマザーテープを作製したときと同様の方法により経糸１０本を数え、そこにナイフを入れて、それぞれ経糸１０本のＪＬＢを得た。このときの段取り作業時間は各１５分であった。従って、本比較例における合計の段取り作業時間は、３０分＋（１５分／本×１５本）＝２５５分であった。
【００４２】
（３）評価
このように、本発明に係るタイヤコード用すだれ織物を用いることにより、段取り作業時間を大幅に短縮することが可能となり、生産性の向上を図ることができる。また、本発明に係るタイヤコード用すだれ織物は、タイヤコード用すだれ織物の製造工程を変更する必要がなく、既存の設備をそのまま利用することができ、コストの上昇を招くことがない。
【００４３】
また、タビー部の１０本の経糸が纏められた経糸群は、緯糸で挟まれることにより、緯糸のテンションによってさらに強固に束ねられることになるため、特別の技術を必要とせず通常の製織機で作製することができる。さらに、タビー部では大きな隙間が存在するが、タビー部から数メートル離れた本体部ではトッピングラインにおいてタイヤコード用すだれ織物に加わるテンションにより同密度で並ぶため、スリット後のＪＬＢテープ幅はほぼ均一になり、幅変化によるコニシティーの悪化などの悪影響が及ぶことはない。
【符号の説明】
【００４４】
１            経糸
２，２ａ      緯糸
３            経糸群
４            間隔
５            トッピングゴム
６            ナイフ
Ａ            タイヤコード用すだれ織物
Ａ１          トップ反
Ｂ            本体部
Ｃ            タビー部
【図１】
2011122272.tif 000003
【図２】
2011122272.tif 000004